(57)【要約】【課題】画像表示部を容易に交換できる表示装置とその画像表示方法を提供する。【解決手段】入力される画像信号が信号処理部１０において所定フォーマットの画像信号に変換され、インターフェース部１０１から画像表示部２０に供給される。画像表示部２０では、インターフェース部２０６を介して受け取った画像信号に所定の画質調整処理が施され、これに応じた画像が画像表示部２０において表示される。このように、信号処理部１０において画像信号のフォーマット変換を行い、画像表示部２０において画質調整処理を行うことによって、画像表示部２０の表示部２０４における表示方式が変更されても、信号処理部１０の処理は表示部２０４の表示方式と直接関係しないため、信号処理部１０の構成の変更が不要になる。すなわち、信号処理部１０には、任意の表示方式の画像表示部２０を容易に組み合わせることが可能になる。【選択図】      図１
2006293211.tif 000002
【特許請求の範囲】
【請求項１】
画像の表示を行う画像表示部と、
前記画像表示部に供給する画像信号を処理する信号処理部と
を具備し、
前記信号処理部は、
前記画像表示部との信号の受け渡しを行う第１のインターフェース部と、
入力される画像信号を所定のフォーマットの画像信号に変換し、当該変換した画像信号を前記第１のインターフェース部から前記画像表示部に供給する第１の画像信号処理部と
を有し、
前記画像表示部は、
前記信号処理部との信号の受け渡しを行う第２のインターフェース部と、
前記第２のインターフェース部を介して受け取った前記信号処理部からの画像信号に所定の画質調整処理を施す第２の画像信号処理部と、
前記第２の画像信号処理部において処理された画像信号に応じた画像を表示する表示部と
を有し、分離可能に構成された前記画像表示部と前記信号処理部とが前記第１のインターフェース部および前記第２のインターフェース部を介して信号の受け渡しを行う
表示装置。
【請求項２】
前記画像表示部は、選択可能な画質調整の設定内容に関する調整情報を格納する記憶部を有し、
前記信号処理部は、前記第１のインターフェース部を介して前記画像表示部から前記調整情報を取得し、当該取得した調整情報に基づいて画質調整の設定内容を選択するための処理を行い、当該処理によって選択された画質調整の設定内容を前記第１のインターフェース部から前記画像表示部に通知する第１の制御部を有し、
前記第２の画像信号処理部は、前記第２のインターフェース部を介して前記信号処理部から受け取った前記通知に従って、前記所定の画質調整処理を行う、
請求項１に記載の表示装置。
【請求項３】
前記画像表示部は、前記信号処理部とは異なる所定の画像信号供給元から供給される画質調整処理のなされた画像信号を表示する場合、前記第２の画像信号処理部における前記所定の画質調整処理を停止する第２の制御部を有する、
請求項１に記載の表示装置。
【請求項４】
前記第１の画像信号処理部は、入力される画像信号に所定の復号化処理を施す、
請求項１に記載の表示装置。
【請求項５】
前記第２の画像信号処理部は、前記画質調整処理として、ガンマ補正処理、色空間変換処理、ホワイトバランス調整処理、輝度調整処理の少なくとも１つを行う、
請求項１に記載の表示装置。
【請求項６】
画像表示部と、前記画像表示部に供給する画像信号を処理する信号処理部とを有し、分離可能に構成された前記画像表示部および前記信号処理部が各々のインターフェース部を介して信号の受け渡しを行う表示装置の画像表示方法であって、
前記信号処理部が、選択可能な画質調整の設定内容に関する調整情報を前記画像表示部から取得する第１のステップと、
前記信号処理部が、前記取得した調整情報に基づいて画質調整の設定内容を選択するための処理を行う第２のステップと、
前記信号処理部が、前記処理によって選択された画質調整の設定内容を前記画像表示部に通知する第３のステップと、
前記画像表示部が、前記信号処理部からの前記通知に従って、前記信号処理部から供給される画像信号に所定の画質調整処理を施す第４のステップと、
前記画像表示部が、前記画質調整処理を施された画像信号に応じた画像を表示する第５のステップと
を有する画像表示方法。
【発明の詳細な説明】
【技術分野】
【０００１】
本発明は表示装置とその画像表示方法に係り、特に、画像表示系の交換が可能な表示装置に関するものである。
【背景技術】
【０００２】
表示装置は、一般に画像表示系と信号処理系を有している。
画像表示系は、例えば液晶ディスプレイ、有機ＥＬディスプレイ、プラズマ・ディスプレイ、ブラウン管など、様々な種類の表示デバイスによって構成されており、信号処理系から供給される画像信号に応じた画像を表示する。
【０００３】
信号処理系は、入力される所定フォーマットの画像信号にデコードなどの処理を施して、画像表示系が利用可能な所定フォーマットの画像信号に変換する処理を行う。
【０００４】
また、一般的な表示装置では、信号処理系において画像表示系の画質調整に係わる処理が行われている。すなわち、信号処理系は、上記のようなフォーマット変換を行った画像信号に対して、更にガンマ補正や色空間変換（color space conversion：以降、ＣＳＣと表記する）、ホワイトバランス調整などの画質調整処理も施している。
【発明の開示】
【発明が解決しようとする課題】
【０００５】
ところが、信号処理系に組み込まれている画質調整機能は、通常、特定タイプの表示デバイスに適合するように設計されているため、信号処理系と画像表示系とを自由に組み合わせることができないという不利益がある。画像表示系を別タイプのものに置き換えるためには、信号処理系に組み込まれている画質調整機能をこの別タイプの画像表示系に対応させる必要があるため、容易に置き換えを行うことができない。
【０００６】
また、画質調整の調整値は画像表示系を構成するデバイスの個体の特性に依存する。そのため、信号処理系に画質調整機能が含まれている従来の表示装置では、例えば故障などのために画像表示系のデバイスを交換した場合、画質調整のデータを再度取り直して信号処理系に設定する必要があり、交換に手間がかかるという不利益がある。
【０００７】
このように、従来の表示装置では、画像表示系を異なる表示方式のものに容易に交換することができず、また、同一表示方式のものに交換する場合であっても、画質調整の再設定の手間が生じるという不利益がある。
【０００８】
本発明はかかる事情に鑑みてなされたものであり、その目的は、画像表示部を容易に交換することができる表示装置とその画像表示方法を提供することにある。
【課題を解決するための手段】
【０００９】
本発明の第１の観点に係る表示装置は、画像の表示を行う画像表示部と、前記画像表示部に供給する画像信号を処理する信号処理部とを具備する。前記信号処理部は、前記画像表示部との信号の受け渡しを行う第１のインターフェース部と、入力される画像信号を所定のフォーマットの画像信号に変換し、当該変換した画像信号を前記第１のインターフェース部から前記画像表示部に供給する第１の画像信号処理部とを有する。前記画像表示部は、前記信号処理部との信号の受け渡しを行う第２のインターフェース部と、前記第２のインターフェース部を介して受け取った前記信号処理部からの画像信号に所定の画質調整処理を施す第２の画像信号処理部と、前記第２の画像信号処理部において処理された画像信号に応じた画像を表示する表示部とを有する。前記画像表示部と前記信号処理部は、分離可能に構成されており、前記第１のインターフェース部および前記第２のインターフェース部を介して信号の受け渡しを行う。
【００１０】
前記第１の観点によると、前記信号処理部において、入力される画像信号が所定のフォーマットの画像信号に変換される。そして、この変換された画像信号が、前記第１のインターフェース部から前記画像表示部に供給される。前記画像表示部では、前記第２のインターフェース部を介して受け取った前記信号処理部からの画像信号に所定の画質調整処理が施され、当該処理を施された画像信号に応じた画像が表示される。
【００１１】
前記画像表示部は、選択可能な画質調整の設定内容に関する調整情報を格納する記憶部を有しても良い。前記信号処理部は、前記第１のインターフェース部を介して前記画像表示部から前記調整情報を取得し、当該取得した調整情報に基づいて画質調整の設定内容を選択するための処理を行い、当該処理によって選択された画質調整の設定内容を前記第１のインターフェース部から前記画像表示部に通知する第１の制御部を有しても良い。前記第２の画像信号処理部は、前記第２のインターフェース部を介して前記信号処理部から受け取った前記通知に従って、前記所定の画質調整処理を行っても良い。
【００１２】
前記の構成によると、前記信号処理部では、前記第１のインターフェース部を介して前記画像表示部から前記調整情報を取得される。そして、この取得された調整情報に基づいて画質調整の設定内容を選択するための処理が行われる。当該処理によって選択された画質調整の設定内容は、前記第１のインターフェース部から前記画像表示部に通知される。前記画像表示部では、前記第２のインターフェース部を介して前記信号処理部から受け取った前記通知に従って、前記所定の画質調整処理が行われる。
【００１３】
前記画像表示部は、前記信号処理部とは異なる所定の画像信号供給元から供給される画質調整処理のなされた画像信号を表示する場合、前記第２の画像信号処理部における前記所定の画質調整処理を停止する第２の制御部を有しても良い。
【００１４】
本発明の第２の観点は、画像表示部と、前記画像表示部に供給する画像信号を処理する信号処理部とを有し、分離可能に構成された前記画像表示部および前記信号処理部が各々のインターフェース部を介して信号の受け渡しを行う表示装置の画像表示方法に関するものであり、この画像表示方法は、前記信号処理部が、選択可能な画質調整の設定内容に関する調整情報を前記画像表示部から取得する第１のステップと、前記信号処理部が、前記取得した調整情報に基づいて画質調整の設定内容を選択するための処理を行う第２のステップと、前記信号処理部が、前記処理によって選択された画質調整の設定内容を前記画像表示部に通知する第３のステップと、前記画像表示部が、前記信号処理部からの前記通知に従って、前記信号処理部から供給される画像信号に所定の画質調整処理を施す第４のステップと、前記画像表示部が、前記画質調整処理を施された画像信号に応じた画像を表示する第５のステップとを有する。
【００１５】
前記第２の観点によると、選択可能な画質調整の設定内容に関する調整情報が、前記画像表示部から前記信号処理部に送られ、前記信号処理部に取得される。前記信号処理部では、前記取得された調整情報に基づいて画質調整の設定内容を選択するための処理が行われ、この処理によって選択された画質調整の設定内容が前記画像表示部に通知される。前記画像表示部では、前記信号処理部からの前記通知に従って、前記信号処理部から供給される画像信号に所定の画質調整処理が施される。そして、当該処理を施された画像信号に応じた画像が前記画像表示部において表示される。
【発明の効果】
【００１６】
本発明によれば、画質調整の機能を画像表示部に持たせることによって、画像表示部を容易に交換することができる。また、画質調整の設定内容を信号処理部からの指示に従って変更することができる。
【発明を実施するための最良の形態】
【００１７】
図１は、本発明の実施形態に係る表示装置の構成の一例を示す図である。
図１に示す表示装置は、信号処理部１０と、画像表示部２０とを有する。
信号処理部１０は、インターフェース部１０１と、画像信号処理部１０２と、制御部１０３と、操作部１０４とを有する。
画像表示部２０は、ガンマ補正処理部２０１と、ＣＳＣ処理部２０２と、ホワイトバランス調整処理部２０３と、表示部２０４と、記憶部２０５と、インターフェース部２０６と、制御部２０７とを有する。
【００１８】
図１に示す表示装置の各構成要素と、本発明の各構成要素との対応関係は次の通りである。
信号処理部１０は、本発明の信号処理部の一例である。
画像表示部２０は、本発明の画像表示部の一例である。
インターフェース部１０１は、本発明の第１のインターフェース部の一例である。
画像信号処理部１０２は、本発明の第１の画像信号処理部の一例である。
制御部１０３は、本発明の第１の制御部の一実施形態である。
インターフェース部２０６は、本発明の第２のインターフェース部の一例である。
ガンマ補正処理部２０１、ＣＳＣ処理部２０２およびホワイトバランス調整処理部２０３を含むユニットは、本発明の第２の画像信号処理部の一例である。
表示部２０４は、本発明の表示部の一実施形態である。
記憶部２０５は、本発明の記憶部の一実施形態である。
制御部２０７は、本発明の第２の制御部の一実施形態である。
【００１９】
［信号処理部１０］
信号処理部１０は、画像表示部２０に供給する画像信号を処理する。
【００２０】
インターフェース部１０１は、画像表示部２０のインターフェース部２０６と通信を行い、信号の受け渡しを行う。インターフェース部１０１および１０２の通信方式は任意であり、有線でも無線でも良い。
【００２１】
画像信号処理部１０２は、図示しないインターフェースから入力される画像信号を所定のフォーマットの画像信号に変換し、当該変換した画像信号をインターフェース部１０１から画像表示部２０に供給する。
画像信号処理部１０２は、フォーマット変換を行うために、例えば、入力される画像信号に所定の復号化処理を施す。
【００２２】
操作部１０４は、例えば押しボタンスイッチなどの入力手段を備えており、ユーザの操作に応じた信号発生して制御部１０３に出力する。
【００２３】
制御部１０３は、信号処理部１０２の全体的な動作を制御する。例えば、画像信号処理部１０２においてフォーマット変換された画像信号が順次にインターフェース部１０１から画像表示部２０へ供給されるように、これらの処理部の動作を制御する。
【００２４】
また制御部１０３は、画質調整の設定内容の選択・変更に関する処理を行う。
すなわち、制御部１０３は、画質調整の設定内容の選択・変更を要求する操作が操作部１０４に対してなされると、画像表示部２０からインターフェース部１０１を介して後述する調整情報を取得する。そして、この取得した調整情報に基づいて、ユーザに対し画質調整の設定内容の選択・変更を促すメニュー画面を図示しない表示部（画像表示部２０の表示部２０４でも良い）に表示する。この表示に応じてユーザが画質調整の設定内容を選択し、その選択結果が操作部１０４に入力されると、制御部１０３は、選択された画質調整の設定内容をインターフェース部１０１から画像表示部２０に通知する。
【００２５】
［画像表示部２０］
画像表示部２０は、信号処理部１０から供給される画像信号を再生して表示する。
【００２６】
インターフェース部２０６は、信号処理部１０のインターフェース部１０１と通信を行い、信号の受け渡しを行う。
【００２７】
ガンマ補正処理部２０１は、インターフェース部２０６を介して信号処理部１０から受け取った画像信号にガンマ補正処理を行う。
【００２８】
ＣＳＣ処理部２０２は、インターフェース部２０６を介して信号処理部１０から受け取った画像信号にＣＳＣ処理（色空間変換処理）を行う。
【００２９】
ホワイトバランス調整処理部２０３は、インターフェース部２０６を介して信号処理部１０から受け取った画像信号にホワイトバランス調整処理を行う。
【００３０】
なお、ガンマ補正処理部２０１、ＣＳＣ処理部２０２およびホワイトバランス調整処理部２０３は、何れも表示部２０４の画質調整に係わる処理を行っており、その画質調整の度合い（調整値）を記憶部２０５から取得する。この調整値は、信号処理部１０から送られてくる上述した設定内容の選択結果の通知に応じて適宜変更される。
【００３１】
表示部２０４は、ガンマ補正処理部２０１、ＣＳＣ処理部２０２およびホワイトバランス調整処理部２０３において画質調整に関する処理が施された画像信号を入力し、これに応じた画像を表示する。表示部２０４は、例えば液晶ディスプレイ、有機ＥＬディスプレイ、プラズマ・ディスプレイ、ブラウン管、ＬＥＤディスプレイなど、種々の表示デバイスによって構成される。
【００３２】
記憶部２０５は、制御部２０７の処理において一時的に利用されるデータや、定数データなどを格納する。
【００３３】
例えば、記憶部２０５は、ガンマ補正処理部２０１、ＣＳＣ処理部２０２およびホワイトバランス調整処理部２０３の各々において現在使用中の調整値を記憶する。
【００３４】
また、記憶部２０５は、ガンマ補正処理部２０１、ＣＳＣ処理部２０２およびホワイトバランス調整処理部２０３において選択可能な画質調整の設定内容の情報（調整情報）を記憶する。
【００３５】
調整情報には、例えば、ガンマ補正処理部２０１、ＣＳＣ処理部２０２およびホワイトバランス調整処理部２０３の各々において利用可能な調整値の組が含まれている。
一例を述べると、ガンマ補正処理部２０１の調整値Ａ１は４段階、
Ａ１・・・｛１，２，３，４｝；
ＣＳＣ処理部２０２の調整値Ａ２は５段階、
Ａ２・・・｛１，２，３，４，５｝；
ホワイトバランス調整処理部２０３の調整値Ａ３は３段階、
Ａ３・・・｛１，２，３｝；
という具合に、各々利用可能な調整値の組が調整情報に含まれている。
そして、各々の処理部には、この調整値の組の中から選択された１つが調整値として設定されている。
例えば、
Ａ１＝３，Ａ２＝５，Ａ３＝１；
という具合に調整値が選択され、この調整値がガンマ補正処理部２０１、ＣＳＣ処理部２０２およびホワイトバランス調整処理部２０３に各々設定される。
【００３６】
制御部２０７は、画像表示部２０の全体的な動作を制御する。例えば、インターフェース部２０６を介して供給された画像信号がガンマ補正処理部２０１、ＣＳＣ処理部２０２およびホワイトバランス調整処理部２０３において順次に処理され、表示部２０４において画像として表示されるように、これらの処理部の動作を制御する。
【００３７】
また、制御部２０７は、例えばコンピュータ機器などの画像信号供給元から供給される画質調整処理のなされた画像信号を表示する場合、ガンマ補正処理部２０１、ＣＳＣ処理部２０２およびホワイトバランス調整処理部２０３の処理をそれぞれ停止させる。
例えば、制御部２０７は、インターフェース部２０６にコンピュータ機器などの画質調整機能を有する所定の装置が接続されたことを検知した場合、ガンマ補正処理部２０１、ＣＳＣ処理部２０２およびホワイトバランス調整処理部２０３の処理をそれぞれ停止させる。
【００３８】
ここで、上述した構成を有する図１に示す表示装置の動作について、図２および図３のフローチャートを参照して説明する。
【００３９】
図２は、画像表示部２０の制御部２０７における処理手順の一例を示すフローチャートである。
【００４０】
電源がオンして装置が起動すると（ステップＳＴ１０１）、制御部２０７は、各ユニットの初期化を行う（ステップＳＴ１０２）。初期状態においては、例えば、ガンマ補正処理部２０１、ＣＳＣ処理部２０２およびホワイトバランス調整処理部２０３の処理を全て停止させる。
【００４１】
次いで制御部２０７は、インターフェース部２０６に信号処理部１０から供給される画像信号を順次に表示部２０４に供給して、画像を表示させる（ステップＳＴ１０３）。
【００４２】
制御部２０７は、画像の表示開始とともに、信号処理部１０からの要求や通知の有無、ならびに、コンピュータ機器の接続の有無を監視する（ステップＳＴ１０４，ＳＴ１０６，ＳＴ１０８）。
【００４３】
調整情報の取得を要求する信号処理部１０からの信号がインターフェース部２０６に受信されると（ステップＳＴ１０４）、制御部２０７は、記憶部２０５に格納される調整情報を読み出し、インターフェース部２０６から信号処理部１０に送信する（ステップＳＴ１０５）。
【００４４】
この調整情報に基づいて画質調整の設定内容が選択され、その選択結果を知らせる信号処理部１０の通知がインターフェース部２０６に受信されると（ステップＳＴ１０６）、制御部２０７は、この通知に従って、ガンマ補正処理部２０１、ＣＳＣ処理部２０２およびホワイトバランス調整処理部２０３の各々に調整値を設定し、その処理を開始させる（ステップＳＴ１０７）。
【００４５】
また、例えば図４に示すように、コンピュータ機器などの所定の装置がインターフェース部２０６に接続されたことを検知すると、制御部２０７は、ガンマ補正処理部２０１、ＣＳＣ処理部２０２およびホワイトバランス調整処理部２０３の処理をそれぞれ停止させる。
【００４６】
図３は、信号処理部１０の制御部１０３における処理手順の一例を示すフローチャートである。
【００４７】
電源がオンして装置が起動すると（ステップＳＴ２０１）、制御部１０３は、各ユニットの初期化を行う（ステップＳＴ２０２）。
【００４８】
次いで制御部１０３は、調整情報の取得を要求する信号をインターフェース部１０１から画像表示部１０に送信し、これに応答して画像表示部１０から送信される調整情報をインターフェース部１０１において受信する（ステップＳＴ２０３）。
【００４９】
調整情報を取得すると、制御部１０３は、ユーザに対して画質調整の設定内容の選択・変更を促すメニュー画面を図示しない表示部（画像表示部２０の表示部２０４でも良い）に表示する（ステップＳＴ２０４）。
【００５０】
このメニュー画面には、例えば、ガンマ補正処理部２０１、ＣＳＣ処理部２０２およびホワイトバランス調整処理部２０３の各々において選択可能な調整値の組が表示される。
先述の例によれば、
ガンマ・・・｛１，２，３，４｝；
ＣＳＣ・・・｛１，２，３，４，５｝；
ホワイトバランス・・・｛１，２，３｝；
という具合に、選択可能な調整値がメニュー画面に表示される。ユーザは、この中から所望の調整値を選択する。
【００５１】
ユーザが画質調整の設定内容を選択し、その選択結果が操作部１０４に入力されると、制御部１０３は、この選択結果をインターフェース部１０１から画像表示部２０に通知する（ＳＴ２０５）。
【００５２】
この通知の後、制御部１０３は画像信号処理の実行を開始する。そして、この画像信号処理によって生成された画像信号を、インターフェース部１０１から画像表示部２０に順次供給する（ステップＳＴ２０６）。
【００５３】
制御部１０３は、画像信号処理の実行開始とともに、操作部１０４に対する指示の入力を監視する。そして、画質調整の設定内容の変更指示が操作部１０４に入力された場合（ステップＳＴ２０７）、制御部１０３は、先に述べたステップＳＴ２０４およびＳＴ２０５と同様な処理を実行する（ステップＳＴ２０８，ＳＴ２０９）。すなわち、画質調整の設定内容の選択・変更を促すメニュー画面を表示し、ユーザが選択した設定内容を画像表示部２０に通知する。
【００５４】
以上説明したように、本実施形態に係る表示装置では、入力される画像信号が信号処理部１０において所定フォーマットの画像信号に変換され、インターフェース部１０１から画像表示部２０に供給される。画像表示部２０では、インターフェース部２０６を介して受け取った画像信号に所定の画質調整処理が施され、これに応じた画像が画像表示部２０において表示される。
このように、信号処理部１０において画像信号のフォーマット変換を行い、画像表示部２０において画質調整処理を行うと、信号処理部１０における処理（フォーマット変換）と画像表示部２０４の表示方式とが特定の依存関係を持たなくなるため、画像表示部２０の表示方式を変更しても信号処理部１０の構成を変更する必要がなくなる。すなわち、任意のフォーマット変換処理を行う信号処理部１０と、任意の表示方式の画像表示部２０とを自由かつ容易に組み合わせることが可能になる。これにより、信号処理部１０の構成を変更することなく、画像表示部２０のみを交換して使用することが可能になり、画像表示部２０の変更に伴うコストを削減することができる。
【００５５】
また、従来の表示装置では、信号処理系に画質調整機能が含まれているため、新たな表示方式のデバイスが開発された場合に、信号処理系の画質調整機能もこれに合わせて設計し直さなくてはならず、開発期間が長期化するという不利益がある。これに対し、本実施形態に係る表示装置では、信号処理部２０の構成を変更することなく画像表示部２０の表示方式を変更できるため、このような開発期間の長期化を抑制することができる。
【００５６】
更に、本実施形態に係る表示装置によれば、例えば故障等により画像表示部２０の交換が必要になっても、新たなに装着される画像表示部２０は既にその個体の特性に合わせた画質調整の設定がなされているため、従来のように新たな表示デバイスに合わせて画質調整を設定し直す必要がない。したがって、本実施形態によれば、画像表示部２０の交換による画質調整の再設定の手間をなくすことができる。
【００５７】
しかも、本実施形態に係る表示装置では、信号処理部１０と画像表示部２０とが分離可能に構成されており、各々のインターフェース部（１０１，２０６）を介して信号処理部１０と画像表示部２０とが信号の受け渡しを行うため、任意の画像表示部２０と任意の信号処理部１０とをより容易に組み合わせることが可能である。また、組み合わせの変更を行っても、画質調整の再設定を行うことなく、良好な画像を表示することができる。
【００５８】
また、本実施形態に係る表示装置によれば、例えばコンピュータ機器などの画像信号供給元から供給される画質調整処理のなされた画像信号を表示する場合、画像表示部２０における画質調整処理（ガンマ補正、ＣＳＣ、ホワイトバランス調整）が停止される。これにより、コンピュータ機器などの画像信号供給元における画質調整機能が阻害されることを防止できる。
【００５９】
また、本実施形態によれば、選択可能な画質調整の設定内容に関する調整情報が画像表示部２０から信号処理部１０に送信される。信号処理部１０では、この調整情報に基づいて画質調整の設定内容が選択される。そして、選択された画質調整の設定内容が、信号処理部１０から画像表示部２０へ通知される。画像表示部２０では、信号処理部１０の当該通知に従って、信号処理部１０から供給される画像信号に画質調整処理が施され、これに応じた画像が表示される。
これにより、画質調整の設定内容を信号処理部１０において任意に変更することが可能になる。
【００６０】
ここまで、本発明の一実施形態について説明したが、本発明は上述した形態にのみ限定されるものではない。
すなわち、当業者は、本発明の技術的範囲またはその均等の範囲内において、上述した実施形態の構成要素に関し、様々な変更、コンビネーション、サブコンビネーション、ならびに代替を行っても良い。
【００６１】
例えば、上述した実施形態では、画質調整処理として、ガンマ補正処理やＣＳＣ処理、ホワイトバランス調整処理などを例として挙げているが、本発明はこれに限定されない。例えば、これらの処理の１つのみや、これらの処理のうちの任意の２つを画質調整処理として行っても良い。また、複数の処理を行う場合、その処理の順番は任意である。
【００６２】
更に、画質調整処理は上記のものだけに限定されない。例えば液晶ディスプレイやＬＥＤディスプレイなどのようにバックライトを有する表示デバイスを用いる場合には、バックライトの色温度や輝度を調整する処理を行っても良い。また、例えばＬＥＤディスプレイなどのようにバックライトのＣＳＣ処理が可能な表示デバイスを用いる場合には、このＣＳＣ処理を画質調整処理に含めても良い。
【図面の簡単な説明】
【００６３】
【図１】本発明の実施形態に係る表示装置の構成の一例を示す図である。
【図２】画像表示部の制御部における処理手順の一例を示すフローチャートである。
【図３】信号処理部の制御部における処理手順の一例を示すフローチャートである。
【図４】画像表示部にコンピュータ機器が接続される場合を示す図である。
【符号の説明】
【００６４】
１０…信号処理部、２０…画像表示部、１０１…インターフェース部、１０２…画像信号処理部、１０３，２０７…制御部、１０４…操作部、２０１…ガンマ補正処理部、２０２…ＣＳＣ処理部、２０３…ホワイトバランス調整処理部、２０４…表示部、２０５…記憶部、２０６…インターフェース部
【図１】
2006293211.tif 000003
【図２】
2006293211.tif 000004
【図３】
2006293211.tif 000005
【図４】
2006293211.tif 000006